(57)【要約】【課題】パネル状モジュールを支持するための強度を維持しつつ、設置面の防水性の低下を抑制することができるパネル状モジュール用の固定具を提供する。【解決手段】パネル状モジュール用の固定具１００は、締結部材４００により設置面５００に固定される基部２１０を有する支持金具２００と、防水性のカバーシート３００と、を備える。カバーシート３００は、少なくとも基部２１０に取り付けられた締結部材４００を覆い、基部２１０の外縁よりも外側へ延出している。【選択図】図４
2020165141.tif 000002
【特許請求の範囲】
【請求項１】
締結部材により設置面に固定される基部を有する支持金具と、
防水性のカバーシートと、を備え、
前記カバーシートは、少なくとも前記基部に取り付けられた前記締結部材を覆い、前記基部の外縁よりも外側へ延出している、パネル状モジュール用の固定具。
【請求項２】
前記カバーシートは、合成樹脂又はアスファルトにより構成されている、請求項１に記載のパネル状モジュール用の固定具。
【請求項３】
前記設置面は合成樹脂により構成されており、
前記カバーシートは、前記設置面を構成する合成樹脂と同一種の材料により構成されている、請求項１又は２に記載のパネル状モジュール用の固定具。
【請求項４】
前記支持金具は、パネル状モジュールを支える支持部と、前記基部から前記支持部に向かって延びる立設部と、を有し、
前記カバーシートは、前記立設部を貫通させる孔部を有する、請求項１から３のいずれか１項に記載のパネル状モジュール用の固定具。
【発明の詳細な説明】
【技術分野】
【０００１】
本発明は、太陽電池モジュールのようなパネル状モジュール用の固定具に関する。
【背景技術】
【０００２】
近年、太陽電池モジュールは、屋外の屋根のような設置面に設置される。太陽電池モジュールを設置面上で支える架台として、様々なものが検討されている（特許文献１）。特許文献１は、太陽光を受けて電気を発生させる光起電アレイ（太陽電池モジュール）を屋根のような設置面上で支えるための架台を開示する（特許文献１の図４等参照）。
【０００３】
特許文献１に示す架台は、太陽電池モジュールの側辺に沿ったレールを含む。レールは、設置面に固定される下部ベースと、上部キャップを含む。下部ベースは、太陽電池モジュールを支持する。上部キャップは、下部ベースの上部に取り付けられ、下部ベースに支持された太陽電池モジュールを上方から覆う。架台を構成するレールの下部ベース及び上部キャップは、両方とも、剛性ポリ塩化ビニルのような樹脂から押出し成形されている。また、特許文献１は、レールの下部ベースを屋根の膜と同じ材料で構成し、下部ベースを屋根の膜に熱結合（熱溶接）することを記載する。
【先行技術文献】
【特許文献】
【０００４】
【特許文献１】特開２０１５−７１９３７号公報
【発明の概要】
【発明が解決しようとする課題】
【０００５】
太陽電池モジュールのようなパネル状モジュールは、例えば防水シートのような樹脂製の設置面上に設けられることがある。この場合、特許文献１に記載されているように樹脂製の架台は、熱結合（熱溶接）によって容易に樹脂製の設置面に固定することができる。しかしながら、樹脂同士の熱結合の場合、パネル状モジュールの荷重を支えるための強度が不足することがある。
【０００６】
一方、パネル状モジュールを支持する架台が金属から構成されている場合、アンカーやボルトのような締結部材によって、架台を設置面に固定する必要がある。この場合、締結部材が挿入される孔が設置面に形成されるため、設置面の防水性が低下することがある。
【０００７】
したがって、パネル状モジュールを支持するための強度を維持しつつ、設置面の防水性の低下を抑制することができるパネル状モジュール用の固定具が望まれる。
【課題を解決するための手段】
【０００８】
一態様に係るパネル状モジュール用の固定具は、締結部材により設置面に固定される基部を有する支持金具と、防水性のカバーシートと、を備える。カバーシートは、少なくとも基部に取り付けられた締結部材を覆い、基部の外縁よりも外側へ延出している。
【発明の効果】
【０００９】
上記態様によれば、パネル状モジュールを支持するための強度を維持しつつ、設置面の防水性の低下を抑制することができる。
【図面の簡単な説明】
【００１０】
【図１】第１実施形態に係るパネル状モジュール組立体の斜視図である。
【図２】図１の矢印２Ａ方向から見たパネル状モジュール組立体の側面図である。
【図３】図２の領域３Ａを拡大した拡大図である。
【図４】第１実施形態に係るパネル状モジュール用の固定具の分解斜視図である。
【図５】固定具を構成する支持金具の上面図である。
【図６】図５の矢印６Ａ方向から見た支持金具の平面図である。
【図７】図５の矢印７Ａ方向から見た支持金具の平面図である。
【図８】支持金具を構成する基部、支持部及び立設部の斜視図である。
【図９】支持金具を構成するクランプの斜視図である。
【図１０】図９に示すクランプの上面図である。
【図１１】支持金具を構成するワイヤ固定具の斜視図である。
【図１２】第２実施形態に係る支持金具の側面図である。
【発明を実施するための形態】
【００１１】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１２】
（１）第１実施形態
図１は、第１実施形態に係るパネル状モジュール組立体の斜視図である。図２は、図１の矢印２Ａ方向から見たパネル状モジュール組立体の側面図である。
【００１３】
パネル状モジュール組立体は、パネル状モジュール１０と、パネル状モジュール１０を設置面５００上に固定する、パネル用モジュール用の固定具１００と、を有する。パネル状モジュール１０は、例えば太陽電池モジュールのような屋外設置用のモジュールであってよい。設置面５００は、水平面から傾斜した面であってもよく、水平面に実質的に平行な面であってもよい。また、設置面５００は、平坦な面であってもよく、凹凸を有する面であっても良い。
【００１４】
設置面５００は、合成樹脂によって被覆された面であってもよい。例えば、設置面５００は、屋外の屋根面にコーティングされた樹脂材料によって構成された面であってもよく、屋外の屋根面上に敷かれた防水シートによって構成された面であってもよい。この場合、設置面５００を構成する材料は、例えば塩化ビニル樹脂、アクリル樹脂、ＡＢＳ樹脂、繊維強化プラスチック（ＦＲＰ）のような合成樹脂材料であってもよく、アスファルトシートのような材料であってもよい。
【００１５】
パネル状モジュール１０は、略平板状の形状、例えば略長方形の平板形状を有していてよい。パネル状モジュール１０は、湾曲可能なパネルから構成されていてよいが、これに限られない。パネル状モジュール１０は、略平板状のパネル部１２と、パネル部１２の周囲に設けられたフレーム１４と、を含んでいてよい。好ましい態様では、パネル部１２は、太陽光のエネルギーを電気エネルギーに変換する太陽電池パネルである。
【００１６】
本実施形態では、パネル状モジュール組立体は、互いに格子状に配列された複数のパネル状モジュール１０を含む。図１に示す例では、パネル状モジュール組立体は、４つのパネル状モジュール１０を含む。具体的には、一方向に２つのパネル状モジュール１０が並び、当該一方向に直交する方向に２つのパネル状モジュール１０が並ぶ。この代わりに、パネル状モジュール組立体は、１つのパネル状モジュール１０のみを含んでいてもよい。
【００１７】
各々のパネル状モジュール１０は、互いに対向する２辺を支持する複数の固定具１００によって、設置面５００上に固定されている。図１に示す態様では、各々のパネル状モジュール１０は、４つの固定具１００によって、設置面５００上に固定されている。固定具１００は、パネル状モジュール１０のフレーム１４を支持していてよい（図３も参照）。
【００１８】
次に、各々の固定具１００の構成について、詳細に説明する。図３は、図２の領域３Ａを拡大した拡大図である。図４は、第１実施形態に係るパネル状モジュール用の固定具の分解斜視図である。図５は、固定具を構成する支持金具の上面図である。図６は、図５の矢印６Ａ方向から見た支持金具の平面図である。図７は、図５の矢印７Ａ方向から見た支持金具の平面図である。図８は、支持金具を構成する基部、支持部及び立設部の斜視図である。図９は、支持金具を構成するクランプの斜視図である。図１０は、図９に示すクランプの上面図である。図１１は、支持金具を構成するワイヤ固定具の斜視図である。
【００１９】
固定具１００は、支持金具２００と、防水性のカバーシート３００と、を備える。支持金具２００は、パネル状モジュール１０を支える支持部２２０と、支持部２２０に支持されたパネル状モジュール１０の荷重を支える基部２１０と、を有する。また、支持金具２００は、基部２１０から支持部２２０に向かって延びる立設部２３０を有していてよい。
【００２０】
本実施形態では、基部２１０と支持部２２０と立設部２３０は、金属により一体に形成されている。支持金具２００を構成する金属材料は、特に限定されないが、例えば、アルミニウム合金やステンレス合金を含んでいてよい。また、支持金具２００は、金属材料の他に、樹脂材料を部分的に含んでいてもよい。この場合、少なくとも基部２１０は、金属材料によって構成されることが好ましい。
【００２１】
支持金具２００の基部２１０は、平板状であり、設置面５００上に置かれる。基部２１０は、使用中では締結部材４００により設置面５００に固定される。締結部材４００は、例えば螺子、ボルト、アンカー又は釘等であってよい。本実施形態では、締結部材４００は螺子であり、螺子は基部２１０に設けられた孔部２１２を通って設置面５００に挿入されている。孔部２１２は、例えば、基部２１０の外周部付近に複数設けられていてよい。このように、基部２１０が、ボルト、アンカー又は釘等の締結部材４００によって設置面５００に強固に固定されるため、パネル状モジュール１０の荷重を支えるための強度を十分に確保し易くなる。
【００２２】
立設部２３０は、設置面５００から離れる方向（以下、「上方」と称することがある。）に、基部２１０から連続して延びている。支持部２２０は、立設部２３０の上端で、基部２１０を構成する面に沿う方向に広がっている。支持部２２０は、パネル状モジュール１０の端部、具体的にはフレーム１４の下部に当接していてよい。
【００２３】
支持金具２００は、クランプ２４０及び／又はワイヤ固定具２５０を含んでいてもよい。クランプ２４０は、支持部２２０上に置かれたパネル状モジュール１０の端部を上から押さえる役割を果たす。具体的には、クランプ２４０は、支持部２２０の上面に当接する凹部２４２と、凹部２４２よりも上方でパネル状モジュール１０の端部の上面を覆う被覆部２４４と、を有していてよい。
【００２４】
クランプ２４０の凹部２４２には、締結部材２６０が挿入される孔部２４６が形成されていてよい。この場合、支持金具２００の支持部２２０にも、孔部２２６が形成されていてよい。締結部材２６０が、クランプ２４０の孔部２４６と支持部２２０の孔部２２６に挿入されることによって、クランプ２４０が支持部２２０に締結される。これにより、パネル状モジュール１０の端部は、支持部２２０とクランプ２４０の被覆部２４４との間に挟み込まれた状態になる。締結部材２６０は、例えば螺子やボルトであってよい。
【００２５】
ここで、図３に示すように、互いに隣接するパネル状モジュール１０どうしの間に設けられた固定具１００におけるクランプ２４０は、互いに隣接するパネル状モジュール１０の両方の端部を覆うよう構成されていてよい。具体的には、互いに隣接するパネル状モジュール１０の端部のそれぞれが、支持金具２００の支持部２２０上に支持される。クランプ２４０は、互いに隣接するパネル状モジュール１０の端部どうしの間に配置される。クランプ２４０に設けられた一対の被覆部２４４が、互いに隣接するパネル状モジュール１０の端部を覆う。
【００２６】
一方、パネル状モジュール組立体の端に設けられた固定具１００におけるクランプ２４０は、１つのパネル状モジュール１０の端部を覆っていればよい。この場合であっても、固定具１００を構成する支持金具２００は、互いに隣接するパネル状モジュール１０どうしの間に設けられたものと同様の構成であってよいことに留意されたい。
【００２７】
図９に示すように、被覆部２４４は、パネル状モジュール１０の上面に沿った面において、先端に向かうにつれて厚みが小さくなるよう傾斜していることが好ましい。これにより、パネル部１２に付着した雨水のような液体が、被覆部２４４を経由して、クランプ２４０の凹部２４２に到達し易くなる。したがって、パネル部１２に付着した液体が排水され易くなる。
【００２８】
ワイヤ固定具２５０は、略長方形状の平板によって構成されていてよい。本実施形態では、ワイヤ固定具２５０は、支持金具２００の支持部２２０の下面に締結されている。具体的には、ワイヤ固定具２５０は、締結部材２６０が挿入される孔部２５６を有する。これにより、ワイヤ固定具２５０は、クランプ２４０と一緒に、支持部２２０に締結される。これにより、締結部材２６０の数を増やすことなく、複数の部品が互いに締結されることになる。
【００２９】
ワイヤ固定具２５０は、支持部２２０に締結された状態で、設置面５００に沿った方向において支持部２２０よりも外側に延出していてよい。ワイヤ固定具２５０の、支持部２２０よりも外側に延出した部分に、貫通穴２５２が設けられていてよい。この貫通穴２５２に結束バンドのような紐部材を通すことによって、太陽電池モジュールのようなパネル状モジュール１０に設けられる不図示の配線を、支持金具２００に固定することができる。
【００３０】
支持部２２０に設けられた孔部２２６は、支持部２２０とクランプ２４０によって挟まれるパネル状モジュール１０の一辺が延びている方向とは交差する方向（以下、単に「交差方向」と呼ぶ。）に長くなっていることが好ましい。これにより、孔部２２６に挿入された締結部材２６０が、交差方向に沿って移動可能になる。したがって、クランプ２４０は、支持部２２０に関して締結部材２６０と一緒に移動可能になる。この場合、支持部２２０上に支持されたパネル状モジュール１０の端部の位置に合わせて、クランプ２４０の位置を微修正できるため、パネル状モジュール１０を設置し易くなる。
【００３１】
防水性のカバーシート３００は、使用中において、少なくとも支持金具２００の基部２１０に取り付けられた締結部材４００を覆う。この場合、防水性のカバーシート３００は、基部２１０を設置面５００に固定する締結部材４００全てを覆うことが好ましい。これにより、カバーシート３００は、基部２１０に設けられた孔部２１２から雨水のような液体が侵入することを抑制することができる。さらに、カバーシート３００は、基部２１０の外縁よりも外側へ延出している。これにより、カバーシート３００は、基部２１０の外側の領域で、設置面５００と当接する。これにより、カバーシート３００は、基部２１０の外縁と設置面５００との境界を覆うため、当該境界から雨水のような液体が侵入することを抑制することができる。したがって、締結部材４００による固定によってパネル状モジュール１０を支持するための強度を維持しつつ、設置面５００の防水性の低下を抑制することができる。
【００３２】
カバーシート３００は、基部２１０の外縁全体を覆うことが好ましい。これにより、カバーシート３００は、基部２１０の外縁と設置面５００との境界から雨水のような液体が侵入することをより抑制することができる。
【００３３】
カバーシート３００は、立設部２３０を貫通させる孔部３１０を有していてよい。カバーシート３００の孔部３１０は、少なくとも支持部２２０及び立設部２３０を通ることが可能な大きさであることが好ましい。より好ましくは、孔部３１０は、設置面５００に直交する方向から見て、立設部２３０と実質的に同様の形状を有することがより好ましい。この場合、支持部２２０と立設部２３０をカバーシート３００の孔部３１０に通すことで、カバーシート３００は、立設部２３０のところを除いて基部２１０のほぼ全体を覆うことができる。このとき、立設部２３０は、基部２１０を覆うカバーシート３００に形成された孔部３１０を通って上方に延びる。なお、支持部２２０及び立設部２３０を通してカバーシート３００を基部２１０上に装着し易くするため、カバーシート３００は、弾性的に伸縮可能な部材によって構成されていてもよい。
【００３４】
カバーシート３００は、基部２１０を覆った状態で、例えば接着剤によって基部２１０に接着されていてもよく、基部２１０に接着されていなくてもよい。
【００３５】
前述したように設置面５００が合成樹脂により構成されている場合、カバーシート３００も、合成樹脂により構成されていることが好ましい。カバーシート３００を構成する合成樹脂は、例えば塩化ビニル樹脂、アクリル樹脂、ＡＢＳ樹脂、繊維強化プラスチック（ＦＲＰ）のような合成樹脂材料であってよい。
【００３６】
このような合成樹脂材料は、例えば熱溶着又は溶剤による溶着のような方法によって、合成樹脂からなる設置面５００に固定することができる。熱溶着又は溶剤による溶着では、カバーシート３００を構成する合成樹脂の一部と設置面５００を構成する合成樹脂の一部が溶けて一体化することによって、カバーシート３００と設置面５００が互いに接着される。これにより、支持金具２００をより安定的に固定させることができるとともに、カバーシート３００と設置面５００との間への液体の侵入をより抑制することができる。熱溶着又は溶剤による溶着の力を向上させるため、カバーシート３００は、設置面５００を構成する合成樹脂と同一種の合成樹脂により構成されていることがより好ましい。
【００３７】
また、カバーシート３００を構成する材料が合成樹脂ではない場合であっても、カバーシートは、設置面５００を構成する材料と同一種の材料により構成されていることが好ましい。例えば、カバーシート３００を構成する材料と設置面５００を構成する材料の両方が、アスファルトシートであってもよい。この場合であっても、合成樹脂材料の場合と同様に、カバーシート３００と設置面５００が互いに接着され易くなる。
【００３８】
（２）第２実施形態
次に、第２実施形態に係るパネル状モジュール組立体について説明する。図１２は、第２実施形態に係る支持金具の側面図である。第２実施形態において、第１実施形態と同様の構成については、同じ符号が付されている。以下では、第１実施形態と同様の構成については、その説明を省略することがある。
【００３９】
第２実施形態では、パネル状モジュール１０のフレーム１４の形状と、支持金具２００のクランプ２４０の形状が、第１実施形態と異なっている。パネル状モジュール１０のフレーム１４は、パネル部１２の縁に沿って延びている。フレーム１４の延在方向から見て、フレーム１４は、略Ｓ字型の形状を有する（図１２参照）。フレーム１４は、略「コ」の字型の形状のパネル受け入れ部１６を有しており、このパネル受け入れ部１６にパネル部１２の端部がはめ込まれている。
【００４０】
フレーム１４の下部は、支持部２２０上に積載されている。フレーム１４の下部の、クランプ２４０側の先端は、上方に向かって突出した突出部１５を有する。
【００４１】
第２実施形態では、クランプ２４０は、支持部２２０の上面に当接する凹部２４２と、パネル状モジュール１０のフレーム１４の突出部１５に係合する係合部２４８と、を有する。第１実施形態と同様に、クランプ２４０の凹部２４２には、締結部材２６０が挿入される孔部２４６が形成されていてよい。
【００４２】
クランプ２４０の係合部２４８は、凹部２４２の両側に設けられていてよい。係合部２４８は、フレーム１４の突出部１５と係合する鉤爪形を有していてよい。係合部２４８は、パネル状モジュールの、支持金具２００からの脱落を防止する。
【００４３】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００４４】
例えば、上述した複数の実施形態で説明した各特徴は、可能な限り交換及び／組み合わせ可能であることに留意されたい。
【００４５】
上記実施形態では、基部２１０は、締結部材４００によって設置面５００に締結されているが、これに加えて、基部２１０は、接着剤によって設置面５００に固定されていてもよい。また、基部２１０の、設置面５００に対向する面に樹脂材料を設けておき、この樹脂材料と設置面５００を構成する樹脂材料とが、例えば熱溶着又は溶剤による溶着のような方法によって、互いに固定されてもよい。
【符号の説明】
【００４６】
１０    パネル状モジュール
１００  固定具
２００  支持金具
２１０  基部
２１２  孔部
２２０  支持部
３００  カバーシート
３１０  孔部
４００  締結部材
５００  設置面
【図１】
2020165141.tif 000003
【図２】
2020165141.tif 000004
【図３】
2020165141.tif 000005
【図４】
2020165141.tif 000006
【図５】
2020165141.tif 000007
【図６】
2020165141.tif 000008
【図７】
2020165141.tif 000009
【図８】
2020165141.tif 000010
【図９】
2020165141.tif 000011
【図１０】
2020165141.tif 000012
【図１１】
2020165141.tif 000013
【図１２】
2020165141.tif 000014